(57)【要約】【課題】  この考案は軽量・安価で持ち運びや組み立てが簡単で保管場所を取らず、使用後の手入れ・清掃を必要としない使い捨て折り畳み式コンロを開発・提供する事にある。【解決手段】  使い捨て折り畳み式コンロは四周を矩形状に折り曲げ、且つ、上端部を逆Ｌ字状に折り曲げ一体形成した不燃紙又はアルミ箔製の立て枠板と、立て枠板の底板受け部の上部に嵌着して設けた不燃紙又はアルミ箔製の底板から成り、且つ、該立て枠板四隅の上下ほぼ中間部と立て板の長手方向上下ほぼ中間部に底板受け部をそれぞれ設け、且つ、該立て枠板の上下ほぼ中程で底板上面よりやや上部に通気用穴を一箇所及び複数箇所それぞれ四面に設け、且つ、未使用時は立て枠板部と底板部を分割し、折り畳んで収納可能にし、使用時は底板の上面に木炭等の固形燃料を設置し、立て枠板の上端部に鉄器網等を敷設して使用するものである。【選択図】  図４
0003112841.tif 000002
【実用新案登録請求の範囲】
【請求項１】
バーベキュー等を行う際に使用するコンロであって、該コンロは四周を矩形状に折り曲げ、且つ、上端部を逆Ｌ字状に折り曲げ一体形成した不燃紙又はアルミ箔製の立て枠板（１）と、立て枠板（１）の底板受け部（１ｂ）（１ｃ）（１ｄ）の上部に嵌着して設けた不燃紙又はアルミ箔製の底板（２）から成り、且つ、該立て枠板（１）四隅の上下ほぼ中間部と立て板（１）の長手方向上下ほぼ中間部に底板受け部（１ｃ）（１ｄ）をそれぞれ設け、且つ、該立て枠板（１）の上下ほぼ中程で底板上面よりやや上部に、通気用穴（１ｅ）を一箇所又は複数箇所それぞれ四面に設け、且つ、未使用時は立て枠板（１）部と底板（２）部を分割し、折り畳んで収納可能にし、使用時は底板（２）の上面に木炭等の固形燃料（ＣＨ）を設置し、立て枠板（１）の上端部に鉄器網（ＩＮ）等を敷設して使用する事を特徴とする使い捨て折り畳み式コンロ。
【考案の詳細な説明】
【技術分野】
【０００１】
この考案は、バーベキュー等を行う際に使用する、使い捨て折り畳み式コンロに関するものである。
【背景技術】
【０００２】
従来、特に夏季シーズンに成ると、野外のキャンプ場や屋内に於いても大勢でバーベキューをする機会が多くなる。そして、そのバーベキューをする為のコンロは、これまで数多く市販されているがコスト的にも高価で、しかも、使用した後は油でコンロ全体がベトベトに成る為、後始末が大変で保管する場所も限定される。
【０００３】
又、上記の市販のコンロは、殆どが金属製の物が多く、新しい内は良いが、数回使用すると徐々に錆が発生してきて不衛生であり、又、形状も箱型の為、持ち運びが大変である等の問題が有る。
【０００４】
又、マンション等で生活されている家族や学生の多くは、倉庫・物入れ等のスペースが十分でなく、市販されているバーベキューコンロを購入しても、使用後に保管する場所や、屋外で水洗い等の手入れをする場所に乏しく、結局、実家等に持って行き、保管せざるを得ないというのが現状であり、問題がある。
【０００５】
そこで、これまでに出願されている携帯用ガスコンロ及び組立式バーベキューコンロ等の特許文献を参考の為、紹介する。（特許文献１参照。）
【特許文献１】特開平９−２４３０９２
【特許文献２】特開２００１−２９２９１６
【特許文献３】特開２００３−０４７５６４
【考案の開示】
【考案が解決しようとする課題】
【０００６】
そこで、上記課題を解決する為に、この考案は軽量・安価で持ち運びや組み立てが簡単で保管場所を取らず、使用後の手入れ・清掃を必要としない使い捨て折り畳み式コンロを開発・提供する事にある。
【課題を解決するための手段】
【０００７】
この課題を解決する為の手段として、この考案の使い捨て折り畳み式コンロは四周を矩形状に折り曲げ、且つ、上端部を逆Ｌ字状に折り曲げ一体形成した不燃紙又はアルミ箔製の立て枠板と、立て枠板の底板受け部の上部に嵌着して設けた不燃紙又はアルミ箔製の底板から成り、且つ、該立て枠板四隅の上下ほぼ中間部と立て板の長手方向上下ほぼ中間部に底板受け部をそれぞれ設け、且つ、該立て枠板の上下ほぼ中程で底板上面よりやや上部に、通気用穴を一箇所又は複数箇所それぞれ四面に設け、且つ、未使用時は立て枠板部と底板部を分割し、折り畳んで収納可能にし、使用時は底板の上面に木炭等の固形燃料を設置し、立て枠板の上端部に鉄器網等を敷設して使用するものである。
【考案の効果】
【０００８】
この考案の効果として、四周を矩形状に折り曲げ、且つ、上端部を逆Ｌ字状に折り曲げ一体形成した不燃紙又はアルミ箔製の立て枠板と、立て枠板の底板受け部の上部に嵌着して設けた不燃紙又はアルミ箔製の底板から成り、且つ、該立て枠板四隅の上下ほぼ中間部と立て板の長手方向上下ほぼ中間部に底板受け部をそれぞれ設け、且つ、該立て枠板の上下ほぼ中程で底板上面よりやや上部に、通気用穴を一箇所又は複数箇所それぞれ四面に設け、且つ、未使用時は立て枠板部と底板部を分割し、折り畳んで収納可能にし、使用時は底板の上面に木炭等の固形燃料を設置し、立て枠板の上端部に鉄器網等を敷設して使用する事で、軽量・安価で持ち運びや組み立てが簡単で、折り畳み収納式の為保管場所を取らず、家庭ゴミとして廃却処分出来る為、使用後の手入れ・清掃を必要としない等、極めて有益なる効果を奏するものである。
【考案を実施するための最良の形態】
【０００９】
この考案の最良の形態として、保管時や使用時の事を考慮して、立て枠板の高さ寸法と底板の幅寸法は極力同等に近い寸法に形成し、且つ、立て枠板の縦・横寸法も上部に載せる鉄器網の大きさに適合した寸法に設定する事が望ましい。
【実施例１】
【００１０】
そこで、この考案の一実施例を図１〜図５に基づいて詳述すると、バーベキュー等を行う際に使用するコンロであって、該コンロは四周を矩形状に折り曲げ、且つ、上端部を逆Ｌ字状に折り曲げ一体形成した不燃紙又はアルミ箔製の立て枠板（１）と、立て枠板（１）の底板受け部（１ｂ）（１ｃ）（１ｄ）の上部に嵌着して設けた不燃紙又はアルミ箔製の底板（２）から成り、且つ、該立て枠板（１）四隅の上下ほぼ中間部と立て板（１）の長手方向上下ほぼ中間部に底板受け部（１ｃ）（１ｄ）をそれぞれ設け、且つ、該立て枠板（１）の上下ほぼ中程で底板上面よりやや上部に、通気用穴（１ｅ）を一箇所又は複数箇所それぞれ四面に設け、且つ、未使用時は立て枠板（１）部と底板（２）部を分割し、折り畳んで収納可能にし、使用時は底板（２）の上面に木炭等の固形燃料（ＣＨ）を設置し、立て枠板（１）の上端部に鉄器網（ＩＮ）等を敷設して使用する事を特徴とする使い捨て折り畳み式コンロから構成される。
【００１１】
次に、この考案の寸法形状及び構造について説明すると、まず、図１〜図３に示す様に、上端部を約１５ｍｍ折り曲げて補強部（１ａ）を設けた逆Ｌ字状の立て枠板（１）の寸法は、縦が約３８０ｍｍ、横が約２４０ｍｍ、高さが約１６０ｍｍの矩形状に折り曲げ、且つ、立て枠板（１）の下端部から６０ｍｍの位置の角部４箇所と長手方向２箇所にそれぞれ切り込み（１ｂ’）（１ｃ’）（１ｄ’）を入れて折り曲げて底板受け部（１ｂ）（１ｃ）（１ｄ）を設け、且つ、底板（２）上面よりやや高い位置の立て枠板（１）四面の一箇所又は複数箇所に半円形状の通気用穴（１ｅ）を設け、且つ、該底板受け部（１ｂ）（１ｃ）（１ｄ）の上部に立て枠板（１）の内面形状に適合した底板（２）を嵌着して設けたものである。
【００１２】
又、図４は組立要領を表す斜視図を示し、最初に立て枠板（１）四面の上端部を逆Ｌ字状に折り曲げて補強し、そして立て枠板（１）を矩形状に広げて立てた後、立て枠板（１）の四隅に設けた切込み部（１ｂ’）を内側方向に押し込み、Ｌ字状の底板受け部（１ｂ）を形成し、次に立て枠板（１）の長手方向２箇所に設けた切込み部（１ｃ’）（１ｄ’）を内側方向に押し込み底板受け部（１ｃ）（１ｄ）を形成する。次に、底板（２）を立て枠板（１）の底板受け部（１ｂ）（１ｃ）（１ｄ）の上部に嵌着する。
【００１３】
そして、収納時は図５に示す様に、立て枠板（１）の上端折り曲げ補強部（１ａ）と底板受け部（１ｂ）（１ｃ）（１ｄ）をそれぞれ基の状態に戻し、次に、立て枠板（１）の横中央部を内側方向に折り曲げ、底板（２）と重ね合わせて収納する。
【００１４】
次に、使用方法について説明すると、図６に示す様に、上記（００１１）の要領で使い捨て折り畳み式コンロを組立てた後、底板（２）の上部に木炭等の固形燃料（ＣＨ）を設置して火を起こし、立て枠板（１）の上端折り曲げ補強部（１ａ）上面に鉄器網（ＩＮ）を載せて使用するものである。
【００１５】
そして、使用後はコンロ全体が油でベトベトになる為、上記（００１２）の手順で折り畳んだ後、ガムテープ等で固定して廃却すれば、手入れ（掃除）をする手間が省け、保管場所も必要ない。
【産業上の利用可能性】
【００１６】
この考案の使い捨て折り畳み式コンロは、軽量・安価で持ち運びや組み立てが簡単で保管場所を取らず、家庭ゴミとして廃却処分出来る為、使用後の手入れ・清掃を必要としない為、多くの消費者市場に寄与する点で産業上の利用可能性を有する。
【図面の簡単な説明】
【００１７】
【図１】この考案の一実施例を示し、（Ａ）は一部欠截平面図で、（Ｂ）は一部欠截正面図であ          る。
【図２】この考案の一実施例を示し、（Ａ）は一部欠截右側面図で、（Ｂ）は一部欠截左側面図である。
【図３】この考案の一実施例を示し、図１（Ａ）のａ−ａ矢視断面図である。
【図４】この考案の一実施例を示し、組立要領を示す斜視図である。
【図５】この考案の一実施例を示し、収納要領を示す斜視図である。
【図６】この考案の使用例を示し、斜視図である。
【符号の説明】
【００１８】
１  立て枠板
１ａ  補強部
１ｂ  底板受け部
１ｂ’  切り込み部
１ｃ  底板受け部
１ｃ’  切り込み部
１ｄ  底板受け部
１ｅ  通気用穴
２  底板
ＣＨ  固形燃料
ＩＮ  鉄器網
【図１】
0003112841.tif 000003
【図２】
0003112841.tif 000004
【図３】
0003112841.tif 000005
【図４】
0003112841.tif 000006
【図５】
0003112841.tif 000007
【図６】
0003112841.tif 000008